(57)【要約】【課題】  プリズムレンズや鏡面処理を使用せずに、回路基板に表面実装するチップ型の発光素子又は受光素子を使用した煙感知器を提供する。【解決手段】  煙感知器１は、筐体２と、筐体２内に設けられた検煙部Ｓから構成され、検煙部Ｓは、発光素子４と受光素子５を実装した回路基板３と、回路基板３の下側に設けられた円筒状の光学台６と、光学台６の挿入部６１に挿入された直方体状の照射用導光路７１と受光用導光路７２を有する導光ブロック７と、光学台カバー８から構成する。導光ブロック７は、発光素子４と煙感知領域Ｗとを連通する空間である照射用導光路７１と受光素子５と煙感知領域Ｗとを連通する空間である受光用導光路７２を備え、導光ブロック７の素材の表面は白色で構成する。また、煙感知領域Ｗを含む構造体である光学台６の素材の表面は黒色で構成される。【選択図】図１
2020067920.tif 000002
【特許請求の範囲】
【請求項１】
煙を感知する機能を実現するための電気部品が実装される回路基板と、
前記回路基板に実装され煙を感知するための光を発する発光素子と、
外部から流入する煙に前記発光素子からの光を照射し散乱光を得る煙感知領域と、
前記散乱光を受光するために前記回路基板上に実装される受光素子と、
で構成される煙感知器において、  
前記発光素子と前記煙感知領域とを連通する空間である照射用導光路又は前記受光素子と前記煙感知領域とを連通する空間である受光用導光路の少なくとも一方を有する導光ブロックと、を備え、
前記煙感知領域を含む構造体である光学台の素材の少なくとも表面は前記発光素子が発光する光を吸収する吸収色で構成されると共に、前記導光ブロックの素材の少なくとも表面は非吸収色で構成されていることを特徴とする煙感知器。
【請求項２】
前記発光素子又は前記受光素子の少なくとも一方が前記回路基板に表面実装されるチップ型の素子であることを特徴とする請求項１に記載の煙感知器。
【請求項３】
前記煙感知器の取付面に対して水平方向と同じ又はその水平方向に対して鋭角の方向から前記発光素子からの光が前記煙感知領域へ照射するように前記照射用導光路を設けたことを特徴とする請求項１又は請求項２に記載の煙感知器。
【請求項４】
前記光学台は挿入部を有し、前記導光ブロックが前記挿入部に挿入されていることを特徴とする請求項１乃至３のいずれかに記載の煙感知器。
【発明の詳細な説明】
【技術分野】
【０００１】
本発明は、発光素子から煙感知領域へ近赤外線等の光を照射させ、照射した光に対する煙粒子による散乱光を受光素子で検出することで煙を検知する、煙感知器に関するものである。
【背景技術】
【０００２】
回路基板に表面実装するチップ型の発光素子や受光素子を使用する煙感知器では、光軸が回路基板の表面に垂直な方向を向く。そのため、光軸をプリズムレンズや凹面鏡により反射屈曲させることで、煙感知領域に光を照射又は煙感知領域で生じる散乱光を検出していた（特許文献１、特許文献２を参照）。
【先行技術文献】
【特許文献】
【０００３】
【特許文献１】特開２０１６−２００９７９号公報
【特許文献２】特開２０１８−１２８９０５号公報
【発明の概要】
【発明が解決しようとする課題】
【０００４】
しかし、特許文献１に示す煙感知器にプリズムレンズを使用するとコストがかかると共に、埃や経年劣化により曇ってしまった場合に煙感知器の煙検出機能が著しく低下するという問題があった。また、特許文献２に示す凹面鏡をガイド穴（導光路）に設けた煙感知器では、ガイド穴の内壁面の凹面部分に金属メッキ膜により凹面鏡を形成している。しかし、狭いガイド穴の奥にメッキ処理を行うためには、手間とコストがかかる問題があった。
【０００５】
そこで、本発明は、プリズムレンズや鏡面処理を使用せずに、回路基板に表面実装するチップ型の発光素子又は受光素子を使用した煙感知器を提供することを課題とするものである。
【課題を解決するための手段】
【０００６】
本発明は、煙を感知する機能を実現するための電気部品が実装される回路基板と、前記回路基板に実装され煙を感知するための光を発する発光素子と、外部から流入する煙に前記発光素子からの光を照射し散乱光を得る煙感知領域と、前記散乱光を受光するために前記回路基板上に実装される受光素子と、で構成される煙感知器において、前記発光素子と前記煙感知領域とを連通する空間である照射用導光路又は前記受光素子と前記煙感知領域とを連通する空間である受光用導光路の少なくとも一方を有する導光ブロックと、を備え、前記煙感知領域を含む構造体である光学台の素材の少なくとも表面は前記発光素子が発光する光を吸収する吸収色で構成されると共に、前記導光ブロックの素材の少なくとも表面は非吸収色で構成されていることを特徴とする煙感知器である。
【０００７】
なお、本願の明細書中において、「回路基板に実装」は、回路基板にリード線を用いて電気部品を基板の孔に固定するスルーホール実装や、クリーム半田を用いて基板の表面に電気部品を取付ける表面実装等を含む。
【発明の効果】
【０００８】
本発明によれば、素材の少なくとも表面が非吸収色で構成される導光ブロックに設けた照射用導光路によって回路基板に表面実装された、チップ型のＬＥＤ等における発光素子の光軸を屈曲させて煙感知領域に任意の位置から照射することができる。また、煙感知領域において外部から流入する煙に発光素子からの光を照射して得た散乱光も、散乱光の光軸を受光用導光路によって屈曲させてチップ型の受光素子で検出することができる。従って、高価なプリズムレンズや、手間とコストのかかる鏡面処理を使用しなくても煙感知領域に光を照射したり、煙感知領域の散乱光を受光したりすることができる回路基板に表面実装するチップ型の発光素子又は受光素子を使用した煙感知器を提供することができる。
【図面の簡単な説明】
【０００９】
【図１】本発明の実施例１における煙感知器１の縦断面図である。
【図２】図１に示す検煙部ＳのＡ−Ａ線断面図である。
【図３】図１に示す検煙部Ｓを構成する部材（光学台６、導光ブロック７、光学台カバー８）を示す斜視図である。
【図４】本発明の実施例２における検煙部Ｓ１の縦断面図である。
【図５】図４に示すＢ−Ｂ線断面図である。
【発明を実施するための形態】
【００１０】
本発明は煙感知器である。以下、本発明を実施するための形態について説明する。
【実施例１】
【００１１】
図１は、本発明の実施例１における煙感知器１の縦断面図である。図２は、図１の検煙部ＳのＡ−Ａ線断面図であり、検煙部Ｓの回路基板３は図示していない。図３は、検煙部Ｓを構成する部材の斜視図である。図１，３は、煙感知器１を天井へ設置した状態の上下方向で記載しており、図１は、煙感知器１が天井の取付面９に取り付けられている状態を示す。本明細書における上下方向は煙感知器１を天井に取り付けた際の位置関係で示す。煙感知器１は、筐体２と、筐体２内に設けられた検煙部Ｓから構成されている。検煙部Ｓは、回路基板３と、回路基板３の下側に設けられた円柱状の光学台６と、光学台６の挿入部６１に挿入された直方体状の導光ブロック７と、光学台カバー８から構成されている。回路基板３は発光素子４と受光素子５を表面実装し、導光ブロック７は照射用導光路７１と受光用導光路７２を備えている。筐体２は、本体２１と、本体２１の下部に嵌合されたカバー２２で構成されている。カバー２２の下部には複数の煙流入口２３が環状に配置され、火災時に発生した煙が煙流入口２３から検煙部Ｓに流入する。
【００１２】
検煙部Ｓの構成うち、回路基板３は本体２１の内側下面に取付けられている。回路基板には、発光素子４、受光素子５、その他の煙を感知する機能を実現するための電気部品である発光制御回路、増幅回路、火災判別回路もしくはアナログ・デジタル変換器やマイクロコンピュータ等の回路部品(図示を省略)が実装されている。発光素子４と受光素子５はそれぞれ、近赤外光を発するチップＬＥＤとチップフォトダイオードであって、回路基板３の下面側に表面実装されている。
【００１３】
光学台６は、煙感知領域Ｗを含む構造体であって、回路基板３の下側に配置され、光学台６の上部には上面から導光ブロック７を挿入するための挿入部６１が設けられている。また、光学台６の下部では検煙室６２が下方に開口し、検煙室６２の上部は挿入部６１と連通している。検煙室６２は煙感知領域Ｗを含んでいる。挿入部６１は、挿入された導光ブロック７が発光素子４と受光素子５の下に位置するように配置されている。検煙室６２の上方には導光ブロック７の開口部７３が連通されている。そして、検煙室６２の上方であって挿入部６１の開口部７３が配置される位置には、開口部７３の中央を仕切る仕切壁６３が設けられている。また、光学台６の下面の周縁には複数の略Ｊ字状の壁体６４が設けられている。複数の壁体６４は、所定の間隔を空けて略円環状に立設し、煙流入口２３から流入した煙を流入させて外光は遮断するラビリンス構造を形成している。そして、壁体６４の下端の開放部を縁付き円状の光学台カバー８で覆い暗室６５を形成している。光学台６と光学台カバー８は、その素材の少なくとも表面が、発光素子４が発光する光を吸収する吸収色である黒色で構成されている。発光素子４が発した光は、光学台６の表面に吸収される。そのため、光学台６の表面で反射した光が受光素子５で検出されることはない。なお、煙感知領域Ｗは、外部から検煙室６２に流入する煙に発光素子４からの光を照射し散乱光を得る領域をいい、本実施例では、検煙室６２内の後述する光軸Ｌ２と光軸Ｌ３が交差する領域をいう。
【００１４】
導光ブロック７は、内部に照射用導光路７１と受光用導光路７２が設けられている。照射用導光路７１は発光素子４の位置から、受光用導光路７２は受光素子５の位置から、導光ブロック７の下面に設けた開口部７３に連通する空間である。また、開口部７３は、導光ブロック７が挿入部６１に挿入されたときに検煙室６２の上方に配置される。開口部７３には２つの斜面が設けられ、その間に仕切壁６３が設けられている。そして、各斜面に垂直な線は検煙室６２の略中心方向を向いている。また、検煙室６２の上面には、照射用導光路７１に連通する孔６２ａと、受光用導光路７２に連通する孔６２ｂが、仕切壁６３を挟んで設けられている。そして照射用導光路７１は孔６１ａを、受光用導光路７２は孔６２ａを介して検煙室６２の煙感知領域Ｗに連通するように構成されている。照射用導光路７１は、開口部７３の斜面に設けられた孔以外の横断面が略四角形の連通孔で、上部７１ａ、中央部７１ｂ、下部７１ｃから構成されている。上部７１ａは、垂直方向の孔である。中央部７１ｂは、上部７１ａより径が小さく斜面７１ｄを有し、下方に向かって径が狭くなるように構成されている。また、斜面７１ｄの対面は、下方に向かって垂直面から斜面７１ｄと平行な方向に屈曲した略くの字状の屈曲面となっている。そして、下部７１ｃは、中央部７１ｂから開口部７３の斜面に垂直な方向に設けられている。発光素子４が取付面９に対して下方垂直方向に発光した光の光軸Ｌ１は、斜面７１ｄで光軸Ｌ２の方向に屈曲される。光軸Ｌ２は検煙室６２の煙感知領域Ｗに照射され、煙感知領域Ｗでの光軸Ｌ２の方向は、取付面９の水平面に対して鋭角θ（θ＝３５°）である。また、受光用導光路７２は、照射用導光路７１を垂直方向の面に略対称にした形状の連通孔である。受光用導光路７２は、上部７２ａ、中央部７２ｂ、下部７２ｃから構成されており、上部７２ａは上部７１ａ、中央部７２ｂは中央部７１ｂ、下部７２ｃは下部７１ｃと略同形状である。中央部７２ｂは斜面７２ｄを有している。煙があると、発光素子４の光が煙感知領域Ｗで煙にあたって散乱光が生じる。そして、斜面７２ｄは、散乱光の斜め上向きの光軸Ｌ３を、取付面９に対して垂直に受光素子５へ延びる光軸Ｌ４の方向に屈曲させる。導光ブロック７の素材は、非吸収色である白色であり、照射用導光路７１及び受光用導光路７２の内面は白色である。そのため、照射用導光路７１及び受光用導光路７２の内面は発光素子４が発光する光と散乱光を反射する。従って、光軸Ｌ１の方向に進む発光素子４の発光した光は、白色の斜面７１ｄで光軸Ｌ２の方向に反射され、煙感知領域Ｗに照射することができる。また、光軸Ｌ３の方向に進む散乱光は、白色の斜面７２ｄで光軸Ｌ４の方向に反射され、受光素子５に到達し、検出される。なお、本実施例では斜面７１ｄ，７２ｄは取付面９に対して水平方向に対して７０°の角度である。また、光軸Ｌ２と光軸Ｌ３の交差角度は７０°である。
【００１５】
次に、煙感知器１の動作について説明する。
取付面９に取付けた煙感知器１は、動作中は、発光素子４は点滅しており、発光素子４の発した光は光軸Ｌ１の方向から白色の斜面７１ｄで屈曲して光軸Ｌ２の方向に順次進み、検煙室６２内の煙感知領域Ｗに光を照射している。火災時に煙感知器１に到達した煙は、煙流入口２３から検煙部Ｓの壁体６４の間を通って暗室６５を経て検煙室６２に流入する。検煙室６２に流入した煙は、煙感知領域Ｗで発光素子４の発光した光を散乱させて散乱光が発生する。そして、散乱光は、光軸Ｌ３の方向から白色の斜面７２ｄで屈曲して光軸Ｌ４の方向に順次進み、受光素子５に到達する。そして、散乱光を検出した受光素子５の出力により、回路基板３に実装した火災判別回路は、火災の発生を検知し、火災受信機等に火災発生信号を送信することで、火災の発生を報知することができる。
【００１６】
本実施例１の煙感知器１は、高価なプリズムレンズや鏡面処理を使用しなくても表面実装したチップ型の発光素子４の光を煙感知領域Ｗに取付面に対して鋭角の方向に照射させ、煙感知領域Ｗで得られた散乱光を表面実装した受光素子５に受光させて検出させることができる。
【実施例２】
【００１７】
図４は、本発明の実施例２における検煙部Ｓ１の縦断面図である。図１，３と同様に、図４は、煙感知器を天井へ設置した状態の上下方向で記載している。検煙部Ｓ１は、上記実施例１の検煙部Ｓと同様に筐体２内に取付けられる。図５は、図４に示すＢ−Ｂ線断面図であり、回路基板１０は図示を省略している。以下、実施例１と共通の部品については同じ符号で示し、説明を省略する。
【００１８】
検煙部Ｓ１は、回路基板１０と、回路基板１０の下側に設けられた円柱状の光学台１１と、光学台１１の挿入部１１１に挿入された導光ブロック１２と、光学台カバー８から構成されている。回路基板１０は発光素子４と受光素子５を表面実装し、導光ブロック７は照射用導光路７１と受光用導光路７２を備えている。検煙部Ｓ１の構成のうち、回路基板１０は、上記実施例１と同様に発光素子４と受光素子５と、その他の回路等を実装している。
【００１９】
光学台１１は、煙感知領域Ｗ１を含む構造体であって、上部には導光ブロック１２を挿入するための挿入部１１１が、下部には挿入部１１１と連通する下面に開口する検煙室１１２が設けられている。検煙室１１２は煙感知領域Ｗ１を含んでいる。挿入部１１１は、導光ブロック１２が発光素子４と受光素子５の下側になるように配置されている。そして、側面１１２ａには照射用導光路１２１と連通する孔１１２ｂが設けられている。また、検煙室１１２の上面には受光用導光路１２２と連通する孔１１２ｃが設けられている。検煙室１１２の上方には、導光ブロック１２の開口部１２３が配置され、孔１１２ｃは、その開口部１２３と連通している。開口部１２３は斜面を有し、その斜面に垂直な線が検煙室１１２の略中心方向を向いている。光学台１１の下面の周縁には、光学台６と同様に複数の略Ｊ字状の壁体１１３がラビリンス構造を形成するよう設けられている。そして、壁体１１３の下端の開放部を光学台カバー８で覆い暗室１１４を形成している。なお、光学台１１は、発光素子４が発光する光を吸収する吸収色である黒色の素材で構成されている。従って、発光素子４が発した光は、光学台１１の表面に吸収されるので、発光素子４が発した光が、光学台１１の表面で反射して、受光用導光路１２２に侵入して受光素子５が、散乱光でない光を検出することを防止することができる。なお、煙感知領域Ｗ１は、外部から煙流入口２３を通って検煙室１１２に流入する煙に発光素子４からの光を照射し散乱光を得る領域をいい、本実施例では、検煙室１１２内の後述する光軸Ｌ６と光軸Ｌ７が交差する領域をいう。
【００２０】
導光ブロック１２は、内部に照射用導光路１２１と受光用導光路１２２が設けられている。また、導光ブロック１２の外形は、直方体の下面片側に直方体状の突部１２４が突出した形状である。照射用導光路１２１は、発光素子４の位置から受光用導光路１２２側の突部１２４の側面に連通する空間である。そして、受光用導光路１２２は受光素子５の位置から導光ブロック１２の下面に設けた開口部１２３に連通する空間である。導光ブロック１２が挿入部１１１に挿入されたときに、開口部１２３は検煙室１１２の上方、突部１２４は検煙室１１２の側面１１２ａの側方に配置されるよう構成されている。従って、検煙室１１２は、開口部１２３に連通している部分以外は光学台１１の素材で覆われている。そして、照射用導光路１２１は光学台１１に設けられた孔１１２ｂ、受光用導光路１２２は光学台１１に設けられた孔１１２ｃを介して、検煙室１１２の煙感知領域Ｗ１に連通する。
【００２１】
照射用導光路１２１は、横断面が略四角形の連通孔であり、上部１２１ａ、中央部１２１ｂ、下部１２１ｃから構成されている。上部１２１ａと中央部１２１ｂは、取付面９に対して垂直方向の孔であり、中央部１２１ｂは、上部１２１ａより径が小さく構成されている。また、中央部１２１ｂの下部には斜面１２１ｄが設けられている。そして、下部１２１ｃは斜面１２１ｄから水平方向に設けられている。下部１２１ｃと斜面１２１ｄは、突部１２４の中に設けられている。斜面１２１ｄは、発光素子４が取付面９に対して下方垂直方向に発光した光の光軸Ｌ５を、検煙室１１２の煙感知領域Ｗ１に水平に照射するように光軸Ｌ６の方向に屈曲させる。
【００２２】
また、受光用導光路１２２は、上部１２２ａ、中央部１２２ｂ、下部１２２ｃ、斜面１２２ｄで構成される。受光用導光路１２２は上記実施例１の受光用導光路７２と同形状の連通孔であるため、受光用導光路７２と同一部位の説明は省略する。斜面１２２ｄは、煙感知領域Ｗ１で発光素子４の光に対して煙により生じた散乱光の斜め上向きの光軸Ｌ７を取付面９に対して垂直に受光素子５に照射する光軸Ｌ８の方向に屈曲させる。導光ブロック１２の素材は、非吸収色である白色であるため、照射用導光路１２１及び受光用導光路１２２の内面も白色である。そのため、照射用導光路１２１及び受光用導光路１２２の内面は発光素子４が発光する光と散乱光を反射する。従って、光軸Ｌ５の方向に進む発光素子４の発した光は、白色の斜面１２２ｄによって光軸Ｌ６の方向に反射され、煙感知領域Ｗ１に照射することができる。また、光軸Ｌ７の方向に進む散乱光は、白色の斜面１２２ｄによって光軸Ｌ８の方向に反射され、受光素子５に到達し、検出される。なお、本実施例では斜面１２１ｄと斜面１２２ｄは取付面９の水平方向に対してそれぞれ、４５°と７０°の角度である。また、光軸Ｌ６と光軸Ｌ７の交差角度は１３０°である。
【００２３】
次に、筐体２内に取付けられた検煙部Ｓ１の動作について説明する。
上記実施例１と同様に、動作中は、発光素子４は点滅する。発光素子４が発した光は、光軸Ｌ５の方向から白色の斜面１２１ｄで屈曲して光軸Ｌ６の方向に進み、検煙室１１２内の煙感知領域Ｗ１に光を照射する。火災時に発生した煙は、煙流入口２３から検煙部Ｓ１の壁体１１３の間を通って、暗室１１４を経て検煙室１１２に流入する。検煙室６２に流入した煙は、煙感知領域Ｗ１で発光素子４の発光した光に対して散乱光を発生させる。そして、散乱光は、光軸Ｌ７の方向から白色の斜面１２２ｄで屈曲してＬ８の方向に進み、受光素子５に到達する。そして、散乱光を検出した受光素子５の出力により、回路基板１０に実装した火災判別回路が火災の発生を検知し、火災受信機等に火災発生信号を送信することで、火災の発生を報知することができる。
【００２４】
本実施例２の検煙部Ｓ１を有する煙感知器は、高価なプリズムレンズや鏡面処理を使用しなくても表面実装したチップ型の発光素子４の光を煙感知領域Ｗ１に照射させ、煙感知領域Ｗで得られた散乱光を表面実装した受光素子５に検出させることができる。そして、光の照射方向から鈍角な方向の散乱光を検出することができる。
【００２５】
上記実施例に示すように、本発明によれば、高価なプリズムレンズや鏡面処理を使用しなくても、発光素子の光を取付面に対して任意の角度で煙感知領域へ照射させることができると共に、煙感知領域で得られた散乱光を受光素子に検出させることができる。また、光学台の素材を吸収色、導光ブロックの素材を非反射色で構成し、別部品としているので、部位毎に塗り分ける必要がない。そして、導光ブロックを光学台の挿入部に挿入する構造とすることにより、導光ブロックの位置決めをする必要もないので、組立が簡単であり、煙感知器の製造コストを低く抑えることができる。また、照射用導光路及び受光用導光路の内面全体が非吸収色で覆われているので、光軸に沿って直進する光だけでなく導光路内を反射しながら光軸方向に進む光によって光強度を強めた光を煙感知領域に照射又は受光素子に受光させることができる。従って、発光強度が弱く、指向特性が広い発光素子であっても十分な検煙性能を発揮させることができる。
【００２６】
なお、上記実施例では、発光素子４と受光素子５がチップ型の素子であるが、何れか一方又は両方がチップ型の素子でなくてもよく、上記実施例に限定されることはない。実施例２では、発光素子４又は受光素子５のいずれかを、回路基板に設けた台上に設置して斜面１２１ｄの位置に設置してもよい。その場合は、発光又は受光の光路は側方となり煙感知領域Ｗ１に至る。
【００２７】
また、他の実施例として、上記実施例では、照射用導光路と受光用導光路を一つの導光ブロック内に一体として設けているが、照射用導光路と受光用導光路をそれぞれ別体の導光ブロックに設けたものとしてもよい。そして、発光素子又は受光素子の何れか一方が導光路を用いずに煙監視領域に光を照射又は煙により得た散乱光を受光する場合は、照射用導光路又は受光用導光路の何れか一方のみ導光ブロックに設けることとしてもよい。この場合、照射用導光路又は受光用導光路の周囲に導光ブロックを薄く形成して、導光ブロックの外形を照射用導光路又は受光用導光路の形に沿うようにした形状としてもよく、上記実施例の導光ブロックの形状に限定されることはない。
【００２８】
上記実施例では、発光素子４は、近赤外光を発する発光素子としたが、赤色や青色等の可視光線を発する発光素子でもよく、上記実施例に限定されることはない。上記実施例では、煙感知領域Ｗの光軸Ｌ２と光軸Ｌ３の交差する角度を７０°、煙感知領域Ｗ１の光軸Ｌ６と光軸Ｌ７の交差する角度を１３０°としている。しかし、発光素子４の発する光の種類や検出する煙の種類により、煙感知領域Ｗ，Ｗ１で交差する角度を適当な角度になるように照射用導光路や受光用導光路を構成してもよく、上記実施例の構成に限定されることはない。また、上記実施例では吸収色として黒色を使用しているが、検出に用いる光を吸収する色であればよく、吸収色の色は上記実施例に限定されることはない。そして、上記実施例では非吸収色として白色を使用しているが、金色、銀色や白色に近い色等、受光素子の発光する光や散乱光を反射する色であればよく、非吸収色の色は本実施例に限定されることはない。また、実施例では導光ブロック７，１２を白色の素材としたが、少なくとも導光路の内表面が非吸収色であればよく、内表面を非吸収色の素材で塗装したもの等でも良い。上記実施例では光学台６，１１の素材が黒色、導光ブロック７，１２の素材が白色で構成されている。しかし、光学台６，１１の素材の少なくとも表面が吸収色、導光ブロック７，１２の少なくとも照射用導光路７１，１２１及び受光用導光路７２，１２２の表面が非吸収色であればよい。照射用導光路及び受光用導光路の表面は全面が非吸収色であることが好ましい。全面が非吸収色であると、方向がずれた光も導光される。実施例では取付面が天井であるが、取付面は壁や斜め天井等でもよく、上記実施例に限定されることはない。
【符号の説明】
【００２９】
１  煙感知器、２  筐体、２１  本体、２２  カバー、２３  煙流入口、３，１０  回路基板、４  発光素子、５  受光素子、６，１１  光学台、６１，１１１  挿入部、６２，１１２  検煙室、６２ａ，６２ｂ，１１２ｂ，１１２ｃ  孔、６３  仕切壁、６４，１１3  壁体、６５，１１4  暗室、７，１２  導光ブロック、７１，１２１  照射用導光路、７１ａ，７２ａ，１２１ａ，１２２ａ  上部、７１ｂ，７２ｂ，１２１ｂ，１２２ｂ  中央部、７１ｃ，７２ｃ，１２１ｃ，１２２ｃ  下部、７１ｄ，７２ｄ，１２１ｄ，１２２ｄ  斜面、７２，１２２  受光用導光路、７３，１２３  開口部、８  光学台カバー、９  取付面、１１２ａ  側面、Ｗ，Ｗ１  煙感知領域、Ｌ１〜Ｌ８  光軸、θ  鋭角
【図１】
2020067920.tif 000003
【図２】
2020067920.tif 000004
【図３】
2020067920.tif 000005
【図４】
2020067920.tif 000006
【図５】
2020067920.tif 000007